(57)【要約】【課題】取り扱いが容易でＩＣタグ読取りができる極めて軽量小型の携帯型装置を提供。【解決手段】ＩＣタグ読取り機能を有する腕時計式携帯装置であって、読取り周波数を複数選択できるようにしたことを特徴とする。また、病院内等のホストコンピュータとの送受信のための選択スイッチを備えたことを特徴とする。【選択図】図１
2006208161.tif 000002
【特許請求の範囲】
【請求項１】
ＩＣタグ読取り機能を有する腕時計式携帯装置であって、
読取り周波数を複数選択できるようにしたことを特徴とする腕時計式携帯装置。
【請求項２】
ホストコンピュータとの送受信のための選択スイッチを備えたことを特徴とする請求項１記載の腕時計式携帯装置。
【発明の詳細な説明】
【技術分野】
【０００１】
本発明は、ＩＣタグ読取り機能を有する腕時計式携帯装置に関するものである。
【背景技術】
【０００２】
近年、病院内でもＩＣタグを用いた医療支援システムが提案されている。しかしながら、大きな管理システムの構築に大きな費用がかかり、ＩＣタグの読取り装置が携帯型であったとしても必ず片手で持ち運びしなければならず、医療現場の看護師にとっては負担感となっているという問題がある。
【発明の開示】
【発明が解決しようとする課題】
【０００３】
本発明は、上述したような問題点を解決するためになされたものであり、取り扱いが容易でＩＣタグ読取りができる極めて軽量小型の携帯型装置を提供することを目的とする。
【課題を解決するための手段】
【０００４】
本発明は、ＩＣタグ読取り機能を有する腕時計式携帯装置であって、読取り周波数を複数選択できるようにしたことを特徴とする。また、病院内等のホストコンピュータとの送受信のための選択スイッチを備えたことを特徴とする。
【発明の効果】
【０００５】
本発明の腕時計式携帯装置によれば、看護師等の医療従事者が常時携帯しやすい。看護師等の医療従事者が他の作業準備をしながら必要内容（処方内容等）の確認が容易にできる。ＩＣタグの直近まで近づけてＩＣタグの情報を読取り、表示し、確認またはサーバーに送信、記憶できる。対象の複数種のＩＣタグの周波数に適用、読取りができる。このため、読取り可能距離を複数設定できる。表示部に偏光レンズを設けることで、患者が不必要な情報を見ることを防止できる。
【発明を実施するための最良の形態】
【０００６】
以下、本実施の形態の動作について説明する。図１は腕時計式携帯装置とこれを含むシステムの概略図である。1は腕時計式携帯装置、２は院内無線ＬＡＮ等の情報通信ネットワーク、３は院内等に設けられるホストコンピュータに設けられる情報サーバーである。１０はＬＥＤ、LCD等の表示部、１１は、ＩＣダグ(ＩＦＩＤ)読取スタートスイッチ、１２は周波数選択スイッチ、１３は表示選択スイッチ、１５は金属製バンドで、ＩＣダグ(ＩＦＩＤ)読取用アンテナを兼ねるものである。なお、表示部１０に偏光レンズを設けることで、看護師等の医療従事者が不必要な情報を見ることを防止できる。
【０００７】
図２は、図１における腕時計式携帯装置の概略ブロック図である。図１と重複する構成については説明を割愛する。１００は、腕時計式携帯装置１の全体の動作等を制御する制御部（）で、ＲＯＭ，ＲＡＭ等を含んでいて各種プログラムが記憶されている。１４ａ，４ｂはＩＣタグ(ＩＦＩＤ)に記憶された情報を読取るためのアンテナで、２種類のＩＣタグの周波数に対応するようになっている。金属製バンド１５が１４ａ，１４ｂのうちのいずれかを兼ねる。金属製バンド１５は、ステンレス，金メッキを施したステンレス等で形成されている。１６は外部通信部、１７はクロック部、１８は電池（電源電池）である。１９は送／受信スイッチ、２１は確定スイッチである。
【０００８】
ここで、ＩＣタグ(ＩＦＩＤ) 記憶される情報としては、
（１）患者の手首に腕バンド等に設けられたＩＣタグに記憶された、氏名，生年月日，性別，病名，投薬薬剤名，投薬履歴，病室番号，患者ＩＤ番号等の患者情報
このＩＣタグは、データを通信するためのアンテナ、書換え可能な記憶領域（ＥＥＰＲＯＭ)を有していて、氏名，生年月日，性別，病名，投薬薬剤名，投薬履歴，病室番号，患者ＩＤ番号等の患者情報は、登録された特定の者がこの記憶領域に書き込むようにする。
（２）輸液バッグ，シリンジなどに設けられたＩＣタグに記憶された、氏名，生年月日，性別，投薬薬剤名，注入量(上限／下限値)，注入速度(上限／下限値) ，禁忌情報，病室番号，当該患者等の情報
このＩＣタグは、データを通信するためのアンテナ、書換え不能な記憶領域、書換え可能な記憶領域（ＥＥＰＲＯＭ)を有している。書換え不能な記憶領域には、薬剤メーカー名，投薬薬剤名，注入量(上限／下限値)，注入速度(上限／下限値)等が記憶され、書換え可能な記憶領域（ＥＥＰＲＯＭ)は、氏名，生年月日，性別，投薬履歴，病室番号，患者ＩＤ番号等の患者情報が記憶されている。登録された特定の者がこの記憶領域に書き込むようにする。
（３）医療用器具・装置類に設けられたＩＣタグに記憶されたＩＤ番号等の情報
このＩＣタグは、データを通信するためのアンテナ、書換え不能な記憶領域、書換え可能な記憶領域（ＥＥＰＲＯＭ)を有している。書換え不能な記憶領域には、機種、製造番号、メーカー名等が記憶され，換え可能な記憶領域（ＥＥＰＲＯＭ)には、病室番号，患者ＩＤ番号等の情報が記憶されている。登録された特定の者がこの記憶領域に書き込むようにする。
【０００９】
これらのＩＣタグの読取りには、異なる周波数(複数の異なる周波数)で読取る。ＩＣタグの情報の読取りとしては、電磁結合(電磁誘導)方式，マイクロ波(電波)方式，光方式があるが、システムにはこれらの周波数は、病室内での電磁波の影響を少なくするため、例えば、電磁結合(電磁誘導)方式が用いられ、１３.５６ＭＨｚ（読取り可能範囲：０〜７０ｃｍ），１２５ＫＨｚ（読取り可能範囲：０〜１００ｃｍ）の２種類（複数種類）の周波数が用いられる。前者は患者の手首に腕バンド等に設けられたＩＣタグの情報、輸液バッグ，シリンジなどに設けられたＩＣタグの情報を、後者は医療用器具・装置類に設けられたＩＣタグに記憶された情報を読み出すようにすることが好ましい。読取りに用いる周波数の切り替えは、周波数選択スイッチ１２により行なう。
【００１０】
患者の手首に腕バンド等に設けられたＩＣタグの情報、輸液バッグ，シリンジなどに設けられたＩＣタグの情報、医療用器具・装置類に設けられたＩＣタグに記憶された情報は、ＩＣタグ読取スタートスイッチ１１を操作することで腕時計式携帯装置１のアンテナ１４ａ，１４ｂを介して読取られ、送／受信スイッチ１９を操作することで、腕時計式携帯装置１のＩＤ番号と共に外部通信部１６、情報通信ネットワーク２を経て、サーバー３に送信される。サーバー３には患者情報(生体情報等も含む)、担当医、担当看護師、処方データ、薬剤データ(禁忌データ等も含む)、医療機器、医療器具等のデータが記憶されて一元管理され、適宜そのデータは更新される。
【００１１】
腕時計式携帯装置１の表示部１０では、患者名、処方(輸液ポンプ等を用いる場合には薬剤名、注入速度、注入量等が、輸液ポンプ等を用いない場合には薬剤名、点滴量、点滴速度等が)表示される。間違いがないか確認した後、輸液ポンプの動作を開始させるか、点滴を開始する。確定スイッチ２１を設けて、無線により輸液ポンプ(不図示)の動作開始を指示できるようにしてもよい。こうして、患者に間違えた薬剤を投入することの防止、患者に対して薬剤の投与量(注入量の過多／過小，注入速度の過多／過小)の間違いを防止できる。
【００１２】
本願発明について、実施例に基づき説明したがこれらに限定されるものではなく、適宜変更が可能である。
【図面の簡単な説明】
【００１３】
【図１】本発明の腕時計式携帯装置の概略図である。
【図２】本発明の腕時計式携帯装置のブロック図である。
【符号の説明】
【００１４】
１    腕時計式携帯装置
２    情報通信ネットワーク
３    情報サーバ
１０    表示部
１１    ＩＣタグ読取スタートスイッチ
１２    周波数選択スイッチ
１４a，１４b    アンテナ
１５    金属製バンド
【図１】
2006208161.tif 000003
【図２】
2006208161.tif 000004